(57)【要約】【課題】  受信する番組をどの程度安定して視聴し続けることができるかの時間的な遷移をユーザに把握させることが可能となる。【解決手段】本発明の番組受信装置２００は、番組受信装置の位置を示す位置情報に基づいて目的地までの移動経路を取得する経路取得部２５６と、移動経路における番組の放送終了時刻までに移動する移動区間を導出する移動区間導出部２６０と、受信状態データベースから、番組の移動区間中の受信状態を抽出する受信状態抽出部２６２と、番組の移動区間中の受信状態の時間遷移を示す番組予報画像を生成する番組予報画像生成部２６４と、番組予報画像３５０をディスプレイ２２４に表示させる表示制御部２６６と、を備えることを特徴としている。【選択図】    図２
2011024117.tif 000002
【特許請求の範囲】
【請求項１】
アンテナを介して放送波を受信する番組受信装置であって、
前記放送波を通じて番組を受信する番組受信部と、
前記番組受信装置の位置を示す位置情報を取得する位置取得部と、
前記位置取得部が取得した前記位置情報に基づいて目的地までの移動経路を取得する経路取得部と、
前記移動経路における前記番組の放送終了時刻までに移動する移動区間を導出する移動区間導出部と、
移動可能な路線と、前記路線における前記番組の受信状態とを関連付けた受信状態データベースから、前記番組の前記移動区間中の受信状態を抽出する受信状態抽出部と、
前記番組の前記移動区間中の受信状態の時間遷移を示す番組予報画像を生成する番組予報画像生成部と、
前記番組予報画像をディスプレイに表示させる表示制御部と、
を備えることを特徴とする番組受信装置。
【請求項２】
前記番組予報画像は、前記番組の放送終了時刻までの前記番組の受信状態の時間遷移を示す時間軸グラフであることを特徴とする請求項１に記載の番組受信装置。
【請求項３】
前記番組予報画像は、前記番組の放送終了時刻までの前記番組の受信状態の遷移毎に前記受信状態を示すアイコンであることを特徴とする請求項１または２に記載の番組受信装置。
【請求項４】
前記受信状態データベースは前記番組受信装置の外部に設けられており、前記受信状態抽出部は、通信網を介して前記受信状態データベースから、前記番組の前記移動区間中の受信状態を抽出することを特徴とする請求項１から３のいずれか１項に記載の番組受信装置。
【請求項５】
前記受信状態データベースは、前記アンテナの形態に応じて異なることを特徴とする請求項１から４のいずれか１項に記載の番組受信装置。
【請求項６】
前記受信状態データベースには、前記移動可能な路線を所定区間で分割した分割区間と、前記分割区間毎の前記番組の受信状態とが関連付けられていることを特徴とする請求項１から５のいずれか１項に記載の番組受信装置。
【請求項７】
前記経路取得部は、鉄道、バス、航空機、船舶の群から選択される１または複数の公共交通機関の走行経路に基づいて移動経路を取得し、
前記移動区間導出部は、前記走行経路における運行予定を示す運行予定情報に基づいて、前記番組の放送終了時刻までの前記移動経路の移動区間を導出することを特徴とする請求項１から６のいずれか１項に記載の番組受信装置。
【請求項８】
前記受信状態データベースには、前記移動可能な路線と、複数の番組の受信状態とが関連付けられており、
前記受信状態抽出部は、前記受信状態データベースから、前記移動経路における番組毎の受信状態も抽出し、
前記表示制御部は、前記番組毎の受信状態と前記受信状態が継続する時間とに基づく受信良好度が高い順に従って、前記番組の優先順位をディスプレイに表示させることを特徴とする請求項１から７のいずれか１項に記載の番組受信装置。
【請求項９】
前記受信状態データベースには、前記移動可能な路線と、複数の番組の受信状態とが関連付けられており、
前記受信状態抽出部は、前記受信状態データベースから、前記移動経路における番組毎の受信状態も抽出し、
前記表示制御部は、前記番組毎の放送終了時刻と前記目的地の到着予定時刻とに基づいて、前記番組の優先順位をディスプレイに表示させることを特徴とする請求項１から７のいずれか１項に記載の番組受信装置。
【請求項１０】
前記受信状態データベースには、前記移動可能な路線と、複数の番組の受信状態とが関連付けられており、
前記受信状態抽出部は、前記受信状態データベースから、前記移動経路における番組毎の受信状態も抽出し、
前記表示制御部は、予め定められたジャンルの順に従って、前記番組の優先順位をディスプレイに表示させることを特徴とする請求項１から７のいずれか１項に記載の番組受信装置。
【請求項１１】
アンテナを介して放送波を受信する番組受信装置であって、
前記放送波を通じて複数の放送局が放送する番組を受信する番組受信部と、
前記番組受信装置の位置を示す位置情報を取得する位置取得部と、
取得された前記位置情報に基づいて目的地までの移動経路を取得する経路取得部と、
予め定められたジャンルの順に従って、前記放送局が放送する番組の優先順位をディスプレイに表示させる表示制御部と、
を備えることを特徴とする番組受信装置。
【請求項１２】
アンテナを介して放送波を受信する番組受信装置を用いた番組受信方法であって、
前記放送波を通じて番組を受信し、
前記番組受信装置の位置を示す位置情報を取得し、
取得した前記位置情報に基づいて目的地までの移動経路を取得し、
前記移動経路における前記番組の放送終了時刻までに移動する移動区間を導出し、
移動可能な路線と、前記路線における前記番組の受信状態とを関連付けた受信状態データベースから、前記番組の前記移動区間中の受信状態を抽出し、
前記番組の前記移動区間中の受信状態の時間遷移を示す番組予報画像を生成し、
前記番組予報画像をディスプレイに表示させることを特徴とする番組受信方法。
【発明の詳細な説明】
【技術分野】
【０００１】
本発明は、移動体内で番組を受信する番組受信装置および番組受信方法に関する。
【背景技術】
【０００２】
デジタル放送の放送開始に伴い、デジタル放送波を受信してユーザに番組を視聴させる番組受信装置が普及している。特に、車や電車等の移動体内でもユーザが番組を視聴することのできる車載用の番組受信装置や、携帯型の番組受信装置が注目を集めている。
【０００３】
しかし、上述した車載用や携帯型の番組受信装置（以下、単に番組受信装置と称する）を用いて、移動中にデジタル放送波を受信する場合、受信位置の変化に応じて、受信状態が頻繁に変化することが多い。したがって、ユーザは、番組受信装置を通じて番組を視聴してみたものの、途中で受信状態が悪化し、最後まで番組を視聴することができないといった残念な事態に陥るおそれがある。
【０００４】
そこで、放送番組の受信品質を測定し、目的地に至るまで番組を視聴し続けることができる経路を算出してユーザに提示する技術が開示されている（例えば、特許文献１）。
【０００５】
また、デジタル放送波を受信可能な地域を示すデータベースを予め保持しておき、受信品質が基準値を下回ると、移動体が移動する移動経路とデータベースを比較して、移動経路における受信可能な地域を取得し、現在位置から受信可能な地域までの所要時間をユーザに提示する技術も開示されている（例えば、特許文献２）。
【０００６】
さらに、移動体が移動する移動経路を予測し、予測した移動経路中の任意の地理的ポイントにおけるデジタル放送波の受信率をユーザに提示する技術も開示されている（例えば、特許文献３）。
【先行技術文献】
【特許文献】
【０００７】
【特許文献１】特開２００７−７４５８２号公報
【特許文献２】特開２００６−２７９７４２号公報
【特許文献３】特開２００３−２７４３０３号公報
【発明の概要】
【発明が解決しようとする課題】
【０００８】
移動体で移動するユーザは、通常、番組を視聴するために移動するのではなく、移動のついでに番組を視聴していることが多い。しかし、上記特許文献１の技術では、番組の受信が維持されることを前提に目的地までの経路が算出されるため、現在位置から目的地までの最短経路と比較して大幅に距離が長くなってしまうこともある。したがって、特許文献１の技術を用いると、カーナビゲーションシステムの目的地までの最短経路を提示する機能を有効利用できないといった問題が生じてしまう。
【０００９】
また、特許文献２の技術は、目的地までの移動経路における受信可能な範囲を示すものであるため、視聴している番組の将来の受信状態をユーザに提示することはできない。
【００１０】
さらに、特許文献３の技術では、視聴している番組の将来の受信状態をユーザに提示することはできるものの、移動経路中の任意の地理的ポイントにおける具体的な受信状態を提示しているため、渋滞等で移動速度が変化する場合には、視聴中の番組がいつまで視聴可能であるのか、番組のどのあたりで視聴困難になるのか等をユーザに提示することができなかった。
【００１１】
そこで本発明は、このような課題に鑑み、受信する番組をどの程度安定して視聴し続けることができるかの時間的な遷移をユーザに把握させることが可能な、番組受信装置および番組受信方法を提供することを目的としている。
【課題を解決するための手段】
【００１２】
上記課題を解決するために、本発明の番組受信装置は、アンテナを介して放送波を受信する番組受信装置であって、放送波を通じて番組を受信する番組受信部と、番組受信装置の位置を示す位置情報を取得する位置取得部と、位置取得部が取得した位置情報に基づいて目的地までの移動経路を取得する経路取得部と、移動経路における番組の放送終了時刻までに移動する移動区間を導出する移動区間導出部と、移動可能な路線と、路線における番組の受信状態とを関連付けた受信状態データベースから、番組の移動区間中の受信状態を抽出する受信状態抽出部と、番組の移動区間中の受信状態の時間遷移を示す番組予報画像を生成する番組予報画像生成部と、番組予報画像をディスプレイに表示させる表示制御部と、を備えることを特徴とする。
【００１３】
本発明の番組受信装置は、移動経路中の任意の地理的ポイントにおける具体的な番組の受信状態ではなく、番組の放送終了時刻までに移動する移動区間における番組の受信状態の時間遷移をユーザに提示する。したがって、受信する番組の時間経過に対応した受信状態の遷移をユーザに提示することができる。ここで、番組の受信状態は、厳密には、放送局から放送された、番組が搬送される放送波の受信状態を示す。
【００１４】
また、番組の移動区間中の受信状態の時間遷移を示す番組予報画像をディスプレイに表示させる構成により、ユーザは、ディスプレイを視認するだけで、受信する番組のどのあたりで受信良好になり、どのあたりで受信困難になるか等を、視覚を通じて容易かつ迅速に把握することが可能となる。
【００１５】
上記番組予報画像は、番組の放送終了時刻までの番組の受信状態の時間遷移を示す時間軸グラフであってもよい。
【００１６】
かかる視認容易性の高い時間軸グラフで時間遷移を表す構成により、受信する番組をどのくらいの時間視聴したあたりで受信困難になるか等を、視覚を通じてユーザに把握させることができる。
【００１７】
上記番組予報画像は、番組の放送終了時刻までの番組の受信状態の遷移毎に受信状態を示すアイコンであってもよい。
【００１８】
かかる視認容易性の高いアイコンで時間遷移を表す構成により、ユーザはディスプレイを視認するだけで、受信する番組の今後の受信状態の遷移を、直感的かつ容易に把握することが可能となる。
【００１９】
上記受信状態データベースは、番組受信装置の外部に設けられており、受信状態抽出部は、通信網を介して受信状態データベースから、番組の移動区間中の受信状態を抽出してもよい。
【００２０】
番組受信装置の外部、例えば、別体の装置（外部装置）に受信状態データベースを設ける構成により、その別体の装置と通信可能な複数の番組受信装置は、それぞれ同一の受信状態データベースを参照および更新することができる。このように、自体を含む複数の番組受信装置で受信状態データベースを共有することで、受信状態データベースの更新頻度を高めることができ、より実際（最新）の受信状態に沿った時間遷移を示すことが可能となる。
【００２１】
受信状態データベースは、アンテナの形態に応じて異なってもよい。
【００２２】
放送波の受信状態は、アンテナの形状や設置位置等に応じて異なる。したがって、アンテナの形態に応じて異なった受信状態データベースを用意しておくことで、番組受信装置が備えるアンテナの受信状態すなわち現状に合った受信状態を取得することができる。
【００２３】
上記受信状態データベースには、移動可能な路線を所定区間で分割した分割区間と、分割区間毎の番組の受信状態とが関連付けられていてもよい。
【００２４】
移動可能な路線を所定区間毎に細分化して分割区間とすることで、分割区間毎に異なる受信状態を個別に取得でき、受信状態データベースは、受信状態の地理的遷移を詳細に保持することが可能となる。
【００２５】
経路取得部は、鉄道、バス、航空機、船舶の群から選択される１または複数の公共交通機関の走行経路に基づいて移動経路を取得し、移動区間導出部は、走行経路における運行予定を示す運行予定情報に基づいて、番組の放送終了時刻までの移動経路の移動区間を導出してもよい。
【００２６】
上記公共交通機関の場合、走行経路と運行予定は予め決定されている。したがって、予め決定された走行経路における運行予定を利用することで、その移動速度を考慮しなくとも、番組の放送終了までの移動経路の移動区間を容易に導出することができる。
【００２７】
受信状態データベースには、移動可能な路線と、複数の番組の受信状態とが関連付けられており、受信状態抽出部は、受信状態データベースから、移動経路における番組毎の受信状態も抽出し、表示制御部は、番組毎の受信状態と受信状態が継続する時間とに基づく受信良好度が高い順に従って、番組の優先順位をディスプレイに表示させてもよい。
【００２８】
受信良好度が高い順に従って、番組の優先順位をディスプレイに表示させる構成により、ユーザはディスプレイを視認するだけで、安定した受信感度で継続的に視聴可能な番組を把握することができる。ここで、複数の番組の受信状態は、厳密には、複数の放送局から放送された、各番組が搬送される複数の放送波それぞれの受信状態を示す。
【００２９】
受信状態データベースには、移動可能な路線と、複数の番組の受信状態とが関連付けられており、受信状態抽出部は、受信状態データベースから、移動経路における番組毎の受信状態も抽出し、表示制御部は、番組毎の放送終了時刻と目的地の到着予定時刻とに基づいて、番組の優先順位をディスプレイに表示させてもよい。
【００３０】
かかる構成により、ユーザはディスプレイを視認するだけで、目的地に到着するまでに、視聴が終了する番組とその番組の受信状態を把握することができる。
【００３１】
受信状態データベースには、移動可能な路線と、複数の番組の受信状態とが関連付けられており、受信状態抽出部は、受信状態データベースから、移動経路における番組毎の受信状態も抽出し、表示制御部は、予め定められたジャンルの順に従って、番組の優先順位をディスプレイに表示させてもよい。
【００３２】
例えば、番組が複数のトピックで構成されるニュース番組やバラエティ番組等は、トピック毎に内容が完結しているため、途中で視聴が困難となっても、ユーザが不満に感じることは少ない。しかし、事象が積み重なって番組が展開していくドラマ番組や映画番組等は、途中で視聴が困難になると、ユーザは途中からの番組内容を理解できず、不満を感じることになる。そこで、受信状態とともに、予め定められたジャンルの順に従って、番組の優先順位をディスプレイに表示させ、独立した短時間のトピックが複数で構成される番組の優先順位を高くする構成により、受信状態が悪化する可能性がある状況における番組選択を容易にすることができる。
【００３３】
上記課題を解決するために、本発明の他の番組受信装置は、アンテナを介して放送波を受信する番組受信装置であって、放送波を通じて複数の放送局が放送する番組を受信する番組受信部と、番組受信装置の位置を示す位置情報を取得する位置取得部と、取得された前記位置情報に基づいて目的地までの移動経路を取得する経路取得部と、予め定められたジャンルの順に従って、放送局が放送する番組の優先順位をディスプレイに表示させる表示制御部と、を備えることを特徴とする。
【００３４】
例えば、番組が複数のトピックで構成されるニュース番組やバラエティ番組等は、トピック毎に内容が完結しているため、途中で視聴ができなくなっても、ユーザが不満に感じることは少ない。しかし、事象が積み重なって番組が展開していくドラマ番組や映画番組等は、途中で視聴ができなくなると、ユーザは途中からの番組の内容を理解できず、不満を感じることになる。そこで、予め定められたジャンルの順に従って、放送局が放送する番組の優先順位をディスプレイに表示させ、独立した短時間のトピックが複数で構成される番組の優先順位を高くする構成により、目的地に到着したにもかかわらず、番組が終了しない可能性がある番組をユーザに選択させる可能性を減らすことができる。
【００３５】
上記課題を解決するために、本発明の番組受信方法は、アンテナを介して放送波を受信する番組受信装置を用いた番組受信方法であって、放送波を通じて番組を受信し、番組受信装置の位置を示す位置情報を取得し、取得した位置情報に基づいて目的地までの移動経路を取得し、移動経路における番組の放送終了時刻までに移動する移動区間を導出し、移動可能な路線と、路線における番組の受信状態とを関連付けた受信状態データベースから、移動区間中の番組の受信状態を抽出し、番組の移動区間中の受信状態の時間遷移を示す番組予報画像を生成し、番組予報画像をディスプレイに表示させることを特徴とする番組受信方法。
【００３６】
上述した番組受信装置の技術的思想に基づく構成要素やその説明は、当該番組受信方法にも適用可能である。
【発明の効果】
【００３７】
以上説明したように本発明は、受信する番組をどの程度安定して視聴し続けることができるかの時間的な遷移をユーザに把握させることが可能となる。
【図面の簡単な説明】
【００３８】
【図１】第１の実施形態にかかる番組受信システムの概略を示したブロック図である。
【図２】第１の実施形態にかかる番組受信装置の概略的な構成を示した機能ブロック図である。
【図３】第１の実施形態にかかる番組受信装置の外観図である。
【図４】受信状態データベースの一例を説明するための説明図である。
【図５】第１の実施形態にかかる感度区分テーブルの一例を説明するための説明図である。
【図６】経路取得部、移動区間導出部、および受信状態抽出部の処理を説明するための説明図である。
【図７】番組予報テーブルの一例を説明するための説明図である。
【図８】第１の実施形態にかかる経路取得部、移動区間導出部、受信状態抽出部、および表示制御部の処理を説明するための説明図である。
【図９】番組予報画像生成部が生成するアイコンを説明するための説明図である。
【図１０】表示制御部がディスプレイに表示させた時間軸グラフまたはアイコンを説明するための説明図である。
【図１１】第１の実施形態にかかる番組受信方法の具体的な処理を示したフローチャートである。
【図１２】番組予報表示ステップにおいて、表示制御部が番組予報画像としてアイコンを表示させる場合の具体的な処理を示したフローチャートである。
【図１３】第２の実施形態にかかる番組受信装置の概略的な構成を示した機能ブロック図である。
【図１４】第２の実施形態にかかる表示制御部の処理を説明するための説明図である。
【図１５】第２の実施形態にかかる番組ジャンルテーブルの一例を説明するための説明図である。
【図１６】第２の実施形態にかかるガイドメッセージテーブルの一例を説明するための説明図である。
【図１７】表示制御部が番組ジャンルテーブルを参照して遂行する処理を説明するための説明図である。
【図１８】第２の実施形態にかかる番組受信方法の具体的な処理を示したフローチャートである。
【図１９】優先順位決定ステップの処理の一例を説明するためのフローチャートである。
【図２０】優先順位決定ステップの処理の他の例を説明するためのフローチャートである。
【図２１】第３の実施形態にかかる番組受信装置の概略的な構成を示した機能ブロック図である。
【図２２】第３の実施形態にかかる運行予定情報の一例を説明するための説明図である。
【図２３】第４の実施形態にかかる番組受信装置の概略的な構成を示した機能ブロック図である。
【発明を実施するための形態】
【００３９】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００４０】
（第１の実施形態：番組受信システム１００）
図１は、第１の実施形態にかかる番組受信システム１００の概略を示したブロック図である。図１に示すように、番組受信システム１００は、番組受信装置２００と、送信局１０２（１０２ａ、１０２ｂ）とを含んで構成される。
【００４１】
本実施形態においては、番組受信装置２００として、車両１０４に設置するカーナビゲーション装置を例に挙げて説明するが、携帯電話、ＰＨＳ（Personal Handy phone System）、ノート型パーソナルコンピュータ、ＰＤＡ（Personal Digital Assistant）、デジタルカメラ、音楽プレイヤー、ポータブルテレビ、ゲーム機器、ＤＶＤ（Digital Versatile Disk）プレイヤー、リモートコントローラ等、ディスプレイを有し無線通信可能な様々な電子機器を番組受信装置として用いることができる。
【００４２】
番組受信システム１００において、車両１０４中のユーザ（搭乗者）が、番組受信装置２００を通じて番組の視聴を試みたとき、番組受信装置２００は、近辺の１または複数の送信局１０２（図１中１０２ａ、１０２ｂで示す）が送信する複数の放送局の放送波を受信する。そして、番組受信装置２００は、受信した放送波のうち１の放送波を、搭乗者が視聴可能な画像（番組）にエンコードしてディスプレイや音声出力部に出力する。こうして搭乗者は、車両１０４で移動しながら番組を視聴することができる。ここで番組は、放送局毎に準備された、時間軸で多重化された映像ストリーム、音声ストリーム、字幕ストリーム等のテキスト情報、およびメタデータ等で構成される。
【００４３】
しかし、車両１０４が移動し、山１０６に囲まれた山間に差し掛かったり、トンネル１０８に入ったりすると、番組受信装置２００における、例えば送信局１０２ｂから送信される複数の放送局の放送波の受信状態が変化する場合がある。したがって、搭乗者は、番組受信装置２００を通じて番組を視聴してみたものの、途中で受信状態が悪化し、最後まで番組を視聴することができないといった残念な事態に陥るおそれがある。
【００４４】
そこで、本実施形態では、受信している番組をどの程度安定して視聴し続けることができるかの時間的な遷移を搭乗者に把握させることができる番組受信装置２００および番組受信方法を提供することを目的とする。以下に番組受信装置２００の構成を説明する。
【００４５】
（番組受信装置２００）
図２は、第１の実施形態にかかる番組受信装置２００の概略的な構成を示した機能ブロック図であり、図３は、第１の実施形態にかかる番組受信装置２００の外観図である。図２に示すように、番組受信装置２００は、中央制御部２１０と、装置メモリ２１２と、番組受信部２１４と、位置取得部２１６と、無線通信部２１８と、速度導出部２２０と、操作部２２２と、ディスプレイ２２４と、音声出力部２２６とを含んで構成される。
【００４６】
中央制御部２１０は、中央処理装置（ＣＰＵ）や信号処理装置（ＤＳＰ：Digital Signal Processor）を含む半導体集積回路で構成され、所定のプログラムを用いて番組受信装置２００全体を管理および制御する。
【００４７】
装置メモリ２１２は、ＲＡＭ、フラッシュメモリ、ＨＤＤ（Hard disk drive）等で構成される。なお、ＨＤＤは正確には装置であるが、説明の便宜上本説明では記録媒体と同義として扱う。本実施形態において、装置メモリ２１２は、移動経路を導出するための地図情報と、移動可能な路線とその路線における複数の番組（放送波）の受信状態とを関連付けた受信状態データベースと、アンテナ２０２の形態と感度区分を関連付けた感度区分テーブルと、および受信状態と番組予報画像素片とを関連付けた番組予報テーブルと、を予め保持する。ここで、地図情報は、移動可能な路線と、かかる路線の道路種別（例えば、一般道路、有料道路、高速道路等）と、道路種別ごとに予測される平均速度が関連付けられている。予測される平均速度は、一般道路であれば例えば時速４０ｋｍであり、有料道路や高速道路であれば時速８０ｋｍである。かかる受信状態データベース、感度区分テーブルおよび番組予報テーブルについては、後に詳述する。
【００４８】
番組受信部２１４は、アンテナ２０２を介して、送信局１０２から送信される放送波を受信する。放送波には、複数の放送局の放送波（トランスポートストリーム）が含まれる。本実施形態において、番組受信部２１４は、チューナ回路およびＯＦＤＭ（Orthogonal Frequency Division Multiplexing）復調器を含んで構成され、アンテナ２０２を介して受信した放送波から、ＥＰＧ（Electronic Program Guide）データを取得して、番組情報を取得したり、後述する番組選択部の制御に応じて任意の放送局のトランスポートストリームを取得（選局）し、番組の映像ストリームおよび音声ストリームを取得したりする。
【００４９】
番組情報は、放送局名、物理チャンネル名、番組名、番組開始時刻、番組時間長、ジャンル等で構成され、番組受信部２１４は、複数の放送局の番組情報を取得する。
【００５０】
また本実施形態において、番組受信部２１４は、送信局１０２が送信する複数の放送局の放送波の受信レベル（受信感度）やビット誤り率（ＢＥＲ：Bit Error Rate）等も算出し、その値を総合的に判断して受信状態を導出する。
【００５１】
位置取得部２１６は、番組受信装置２００の位置を示す位置情報を取得する。本実施形態において、位置取得部２１６は、ＧＰＳ（Global Positioning System）衛星１１０から送信される無線信号に基づいて、番組受信装置２００を搭載する車両１０４の位置情報（例えば、経度、緯度、高度の情報）を導出する。
【００５２】
無線通信部２１８は、番組受信装置２００の通信形態に従った基地局１１２と無線通信を確立し、通信網１１４を介して基地局１１２と接続された外部サーバ１１６から渋滞情報、事故情報等を受信する。
【００５３】
速度導出部２２０は、番組受信装置２００が搭載される車両１０４の移動速度を用いて、番組受信装置２００の移動速度を導出する。例えば、速度導出部２２０は、車両１０４に搭載された車速パルス発振器（図示せず）によって出力された車速パルス（例えば、車両１０４の走行タイヤの所定回転角毎の信号）を受信し、この車速パルスに基づいて車両１０４の移動距離を検出する。そして、速度導出部２２０は、単位時間における車両１０４の移動距離に基づいて移動速度を導出する。かかる移動速度は、所定時間における平均速度を用いて導出してもよい。
【００５４】
なお速度導出部２２０は、車速パルスに限らず、加速度センサを通じて取得した加速度を積分したり、位置取得部２１６が取得した位置情報が示す位置から単位時間当たりの移動距離を用いたりすることで、車両１０４の移動速度を導出してもよい。
【００５５】
操作部２２２は、キーボード、十字キー、ジョイスティック等のスイッチ、ディスプレイ２２４の表示面上に設置されたタッチパネル等で構成され、番組の視聴を開始するための操作入力（以下、単に視聴開始入力と称する）等の搭乗者による操作入力を受け付ける。ここで、視聴開始入力とは、番組受信装置２００の電源がオフである場合に電源をオンにするための操作入力、または電源がオンである場合に視聴を所望する番組の選局をするための操作入力を示す。
【００５６】
ディスプレイ２２４は、液晶ディスプレイ、有機ＥＬ(Electro Luminescence)ディスプレイ等で構成され、後述する表示制御部の制御に応じて、番組受信部２１４が受信した番組の映像ストリーム、後述する番組予報画像、装置メモリ２１２に保持された地図情報等を表示する。
【００５７】
音声出力部２２６は、スピーカで構成され、後述する音声制御部の制御に応じて、番組受信部２１４が受信した番組の音声ストリームや、車両１０４の行き先方向を示す音声を出力したり、操作部２２２の操作を案内する音声を出力したりする。
【００５８】
また、本実施形態において、中央制御部２１０は、音声制御部２５０、目的地設定部２５２と、経路導出部２５４、経路取得部２５６、番組選択部２５８、移動区間導出部２６０、受信状態抽出部２６２、番組予報画像生成部２６４、表示制御部２６６、としても機能する。
【００５９】
音声制御部２５０は、番組受信部２１４が受信した番組の音声ストリームをエンコードして音声出力部２２６に出力させる。
【００６０】
目的地設定部２５２は、搭乗者による操作部２２２を通じた操作入力に応じて、目的地を設定する。
【００６１】
経路導出部２５４は、目的地が設定された時点において、位置取得部２１６が取得した位置情報が示す位置と設定された目的地とを結ぶ最適な移動経路、例えば、目的地までの到着時間が最短となる車両１０４の移動経路を、装置メモリ２１２が保持する地図情報に基づいて計算する。また、経路導出部２５４は、位置取得部２１６が取得した番組受信装置２００の位置を示す位置情報が、既に導出した移動経路から外れた場合には、目的地までの移動経路を再度計算し直す。そして、表示制御部２６６は、車両１０４の現在位置や計算された目的地までの移動経路を搭乗者に報知する。かかる構成により、搭乗者は、番組受信装置２００の指示に従って移動することで、迅速かつ安全に目的地にたどり着くことができる。
【００６２】
経路取得部２５６は、経路導出部２５４が、導出した車両１０４の移動経路を取得する。
【００６３】
番組選択部２５８は、操作部２２２が、搭乗者による１の番組の視聴開始入力を受け付けると、番組受信部２１４が受信した複数の番組から視聴開始入力に応じた番組を選択する。
【００６４】
移動区間導出部２６０は、搭乗者が番組の視聴を試みた時刻（本実施形態では、操作部２２２が、搭乗者による１の番組の視聴開始入力を受け付けた時刻）と、その時刻における位置情報と、番組選択部２５８による選択を通じて番組受信部２１４が受信している番組の放送終了時刻と、車両速度（速度導出部２２０が導出した移動速度または地図情報に関連付けられた予測される平均速度）とに基づいて、移動経路における番組の放送終了時刻までに移動する移動区間を導出する。ここで、放送終了時刻は、番組受信部２１４が取得した番組情報の番組開始時刻に、番組時間長を加えることで導出される。また、本実施形態において、移動区間導出部２６０は、ＶＩＣＳ（Vehicle Information and Communication System）等、無線通信部２１８が受信した渋滞情報、事故情報等も用い、その付近での移動速度の加減も考慮して、移動経路における番組放送終了時刻までに移動する移動区間を導出することができる。
【００６５】
本実施形態において、移動区間導出部２６０は、移動経路より移動区間が短い場合、すなわち、目的地到着前に終了する番組について、移動区間を導出しているが、これに限定されず、移動経路より移動区間が長い場合、すなわち、放送終了前に目的地に到着する場合であっても移動区間を導出することができる。この場合、移動経路全体を移動区間としてもよい。
【００６６】
受信状態抽出部２６２は、装置メモリ２１２が保持する受信状態データベースから、番組受信部２１４が受信している番組の移動区間中の受信状態を抽出する。
【００６７】
図４は、受信状態データベース３００の一例を説明するための説明図である。
【００６８】
図４（ａ）に示すように、地図情報に含まれる移動可能な各路線２８０は、所定区間で分割され、分割された区間（分割区間３０２）毎に受信状態が示される。受信状態データベース３００は、図４（ｂ）に示すように、分割区間３０２と、分割区間３０２毎の複数の番組の受信状態、すなわち複数の放送局３０４から放送された、各番組が搬送される複数の放送波それぞれの受信状態とが関連付けている。
【００６９】
例えば、番組の受信状態は、分割区間３０２における単位距離あたりの放送波の受信不能回数や受信不能時間の割合等を利用して決定される。本実施形態では、番組受信装置２００が法定速度で移動する場合、所定時間（例えば、５分）以上番組を安定して受信可能な受信状態（以下、連続安定受信Ｕと称する）と、所定時間以内で番組を断続的に受信可能な受信状態（以下、断続的受信Ｍと称する）と、所定時間以上番組が受信不可能な受信状態（以下、受信不能Ｌと称する）との３つの受信状態が分割区間３０２毎に関連付けられている。
【００７０】
移動可能な路線を所定区間毎に細分化して分割区間３０２とすることで、分割区間３０２毎に異なる受信状態を個別に取得でき、受信状態データベース３００は、受信状態の地理的遷移を詳細に保持することが可能となる。
【００７１】
ここで、同一の番組を放送する同一の放送局３０４の放送波を送信する送信局１０２が、図１に示したように複数ある場合に、番組受信部２１４は、移動中にその受信感度に応じて番組を受信する送信局１０２を切換えることもある。このように送信局１０２を切換えても、切換え時点を含む所定時間以上番組を安定して受信可能であれば、受信状態を連続安定受信Ｕとし、所定時間以内で番組を断続的に受信可能であれば、受信状態を断続的受信Ｍとする。
【００７２】
また、本実施形態において装置メモリ２１２は、アンテナ２０２の形態に応じた、複数の異なる受信状態データベース３００を保持している。
【００７３】
図５は、第１の実施形態にかかる感度区分テーブル３２０の一例を説明するための説明図である。図５に示すように、例えば、アンテナ２０２は、車両外に設置されるダイバーシティアンテナ、車両窓用アンテナ、車両内に設置されるダイバーシティアンテナ、単一ロッドアンテナ等に分類され、感度区分テーブル３２０は、感度区分３２０ａとアンテナの形態３２０ｂとを関連付けている。番組の受信状態は、アンテナ２０２の形状や設置位置等に応じて異なる。したがって、装置メモリ２１２が、アンテナ２０２の形態に関連付けられた感度区分３２０ａ毎に複数の異なる受信状態データベース３００を保持することで、受信状態抽出部２６２は、番組受信装置２００が備えるアンテナ２０２の受信状態すなわち現状に合った受信状態を取得することができる。
【００７４】
本実施形態において、受信状態データベース３００は、装置メモリ２１２に保持されているが、これに限定されず、番組受信装置２００の外部、例えば、無線通信部２１８を通じて接続可能な別体の装置（例えば、外部サーバ１１６）に受信状態データベース３００を保持させておき、受信状態抽出部２６２は、無線通信部２１８を通じて、別体の装置が保持する受信状態データベース３００を参照してもよい。
【００７５】
番組受信装置２００の外部、例えば、別体の装置（外部装置）に受信状態データベース３００を設ける構成により、その別体の装置と通信可能な複数の番組受信装置２００は、それぞれ同一の受信状態データベース３００を参照および更新することができる。このように、自体を含む複数の番組受信装置２００で受信状態データベース３００を共有することで、受信状態データベース３００の更新頻度を高めることができ、より実際（最新）の受信状態に沿った時間遷移を示すことが可能となる。
【００７６】
さらに、受信状態データベース３００は、番組受信部２１４が導出した、送信局１０２が送信する複数の放送局３０４の放送波の受信レベル（受信感度）やＢＥＲ等を利用して、更新されてもよい。かかる構成により、受信状態データベース３００の受信状態を最新の値に更新することができる。
【００７７】
図６は、経路取得部２５６、移動区間導出部２６０、および受信状態抽出部２６２の処理を説明するための説明図である。図６に示すように、経路取得部２５６は、目的地が設定された時点において取得された位置情報が示す位置と設定された目的地３１０とを結ぶ移動経路３１２（図６中、ハッチングで示す）を、取得する。
【００７８】
そして、移動区間導出部２６０は、番組の視聴を試みた時刻（以下、単に視聴開始時刻と称する）と、その時刻における位置情報（現在位置３１４）と、番組受信部２１４が受信する番組の放送終了時刻と、車両速度とに基づいて、移動経路３１２における番組の放送終了時刻までに移動する移動区間３１６（図６中、黒太線で示す）を導出する。
【００７９】
さらに、図６に示すように、受信状態抽出部２６２は、受信状態データベース３００から、移動区間３１６における分割区間３０２毎の番組の受信状態３１８を抽出する。
【００８０】
番組予報画像生成部２６４は、受信状態抽出部２６２が抽出した、番組の移動区間における分割区間毎の受信状態と、装置メモリ２１２が保持する番組予報テーブルとを参照して、番組予報画像を生成する。
【００８１】
ここで、番組予報画像は、視聴開始時刻から番組の放送終了時刻までの番組の受信状態の時間遷移を示す時間軸グラフ、または視聴開始時刻から番組の放送終了時刻までの番組の受信状態の遷移毎に受信状態を示すアイコンである。
【００８２】
図７は、番組予報テーブル３３０の一例を説明するための説明図である。図７に示すように、本実施形態にかかる番組予報テーブル３３０は、受信状態３１８に、時間軸グラフを生成するための番組予報画像素片（以下、単にグラフ素片３３２と称する）と、アイコンを生成するための番組予報画像素片（以下、単にアイコン素片３３４と称する）とを関連付けている。
【００８３】
番組予報画像生成部２６４は、受信状態抽出部２６２が抽出した番組の移動区間３１６中の受信状態３１８に基づいて、番組予報テーブル３３０からグラフ素片３３２を抽出して、時系列に連接して時間軸グラフを生成する。また、番組予報画像生成部２６４は、受信状態抽出部２６２が抽出した番組の移動区間３１６中の受信状態３１８に基づいて、番組予報テーブル３３０からアイコン素片３３４を抽出して、時系列に組み合わせてアイコンを生成する。
【００８４】
図８は、第１の実施形態にかかる経路取得部２５６、移動区間導出部２６０、受信状態抽出部２６２、および表示制御部２６６の処理を説明するための説明図である。図８（ａ）に示すように、経路取得部２５６は、経路導出部２５４が導出した、目的地が設定された時点において取得された位置情報が示す位置（設定位置）と設定された目的地３１０とを結ぶ移動経路３１２を取得する。
【００８５】
図８（ｂ）に示すように、移動区間導出部２６０は、視聴開始時刻（現在時刻３３６）と、その時刻における位置情報（現在位置３１４）と、番組受信部２１４が受信している番組の放送終了時刻３３８と、車両速度とに基づいて、移動経路３１２における番組の放送終了時刻３３８までに移動する移動区間３１６を導出する。ここでは、移動区間導出部２６０は、現在受信可能な番組の放送終了時刻に基づいて移動区間３１６を導出しているが、これに限定されず、将来的に受信可能な番組の放送終了時刻に基づいて移動区間を導出してもよい。図８（ｃ）に示すように、受信状態抽出部２６２は、移動区間３１６における分割区間毎の番組の受信状態３１８を抽出する。
【００８６】
そして、番組予報画像生成部２６４は、図８（ｄ）に示すように、受信状態抽出部２６２が抽出した番組の移動区間３１６中の受信状態３１８に基づき、図７に示す番組予報テーブル３３０からグラフ素片３３２を抽出して、時系列に連接して時間軸グラフ３４０を生成する。ここでは、移動区間３１６における分割区間Ａ１と分割区間Ａ２の受信状態３１８は、両者とも連続安定受信Ｕであるため、まとめて、１のグラフ素片３３２ａとする。
【００８７】
また、本実施形態において番組予報画像生成部２６４は、図８（ｄ）に示すように、同一の受信状態３１８の継続時間、例えば、連続安定受信Ｕの場合「約２０分」をグラフ素片３３２ａに付して時間軸グラフ３４０を生成する。図８（ｄ）に示す例において、番組予報画像生成部２６４は、時間軸グラフ３４０に、それぞれの受信状態３１８（ここでは、連続安定受信Ｕと、断続的受信Ｍ）の継続時間を付しているが、これに限定されず、最もよい受信状態の継続時間のみを付してもよく、継続時間を付さず時間軸グラフ３４０のみを生成してもよい。
【００８８】
番組予報画像生成部２６４が番組予報情報として、視認容易性の高い時間軸グラフ３４０で時間遷移を表す構成により、番組受信部２１４が受信する番組をどのくらいの時間視聴したあたりで受信困難になるか等を、視覚を通じて搭乗者に把握させることができる。
【００８９】
さらに、番組予報画像生成部２６４は、図８（ｅ）に示すように、受信状態抽出部２６２が抽出した番組の移動区間３１６中の受信状態３１８に基づき、図７に示す番組予報テーブル３３０からアイコン素片３３４を抽出して、時系列に組み合わせて並置したアイコン３４２を生成する。
【００９０】
図９は、番組予報画像生成部２６４が生成するアイコン３４２を説明するための説明図である。番組予報画像生成部２６４は、受信状態抽出部２６２が抽出した、番組の受信状態３１８が同一である場合、すなわち移動区間３１６中に番組の受信状態３１８に変化がない場合、かかる受信状態３１８に関連付けられた１のアイコン素片３３４のみを抽出してアイコン３４２を生成する。図９（ａ）では、番組の移動区間３１６中の受信状態３１８が継続して連続安定受信Ｕである場合を示す。図７に示すように、本実施形態の番組予報テーブル３３０において連続安定受信Ｕに関連付けられたアイコン素片３３４は２種類あり、番組の受信状態３１８が、移動区間３１６のすべてにおいて継続して連続安定受信Ｕである場合、図９（ａ）に示すように、番組予報画像生成部２６４は、受信状態が非常に良好であることを示すアイコン素片３３４ａを抽出してアイコン３４２ａを生成する。
【００９１】
また、番組予報画像生成部２６４は、移動区間３１６中に番組の受信状態３１８が変化する場合、かかる受信状態３１８に関連付けられたアイコン素片３３４を抽出し、時系列に組み合わせてアイコン３４２を生成する。図９（ｂ）では、番組の移動区間３１６中の受信状態３１８が連続安定受信Ｕから受信不能Ｌに変化した場合を示す。図９（ｂ）に示すように、番組予報画像生成部２６４は、連続安定受信Ｕに関連付けられたアイコン素片３３４ｂと、受信不能Ｌに関連付けられたアイコン素片３３４ｄとを抽出して、時系列に、すなわち、時間の遷移が視認できるように組み合わせてアイコン３４２ｂを生成する。
【００９２】
さらに、番組予報画像生成部２６４は、移動区間３１６中に番組の受信状態３１８が２回変化する場合、かかる受信状態３１８に関連付けられたアイコン素片３３４を３つ抽出して、時系列に組み合わせてアイコン３４２を生成する。ここで、移動区間３１６中に番組の受信状態３１８が３回以上変化する場合、番組予報画像生成部２６４は、かかる受信状態３１８に関連付けられたアイコン素片３３４をすべて抽出し、その中から代表的なアイコン素片３３４を３つ選択して、時系列に組み合わせてアイコン３４２を生成する。ここでは、番組予報画像生成部２６４は、直近の受信状態３１８に関連付けられた１つのアイコン素片３３４と、受信状態３１８の継続時間が長い順に２つの受信状態３１８に関連付けられた２つのアイコン素片３３４を合わせた３つを選択する。図９（ｃ）では、番組の移動区間３１６中の受信状態３１８が連続安定受信Ｕから受信不能Ｌ、その後、断続的受信Ｍに変化した場合を示す。図９（ｃ）に示すように、番組予報画像生成部２６４は、連続安定受信Ｕに関連付けられたアイコン素片３３４ｂと、受信不能Ｌに関連付けられたアイコン素片３３４ｄと、断続的受信Ｍに関連付けられたアイコン素片３３４ｃを抽出して、時系列に組み合わせてアイコン３４２ｃを生成する。
【００９３】
番組予報画像生成部２６４が視認容易性の高いアイコン３４２で時間遷移を表す構成により、搭乗者はディスプレイ２２４を視認するだけで、番組受信部２１４が受信する番組の今後の受信状態の遷移を、直感的かつ容易に把握することが可能となる。
【００９４】
本実施形態において、番組予報画像生成部２６４は、アイコン３４２の大きさを確保して視認性を維持するため最大で３つのアイコン素片３３４を抽出してアイコン３４２を生成するが、これに限定されず、４以上のアイコン素片３３４を抽出してアイコン３４２を生成してもよい。
【００９５】
表示制御部２６６は、番組予報画像生成部２６４が生成した番組予報画像（時間軸グラフ３４０およびアイコン３４２）、番組受信部２１４が受信した番組、ＥＰＧ、地図等をディスプレイ２２４に表示させる。
【００９６】
図１０は、表示制御部２６６がディスプレイ２２４に表示させた時間軸グラフ３４０またはアイコン３４２を説明するための説明図である。
【００９７】
図１０（ａ）に示すように、例えば、表示制御部２６６は、番組受信部２１４が受信している番組の映像ストリーム３５０に、時間軸グラフ３４０と番組情報の一部３５０ａとを重畳（スーパーインポーズ）させて、ディスプレイ２２４に表示させる。
【００９８】
また、図１０（ｂ）に示すように、例えば、表示制御部２６６は、番組受信部２１４が受信している番組の映像ストリーム３５０に、アイコン３４２と番組情報の一部３５０ａとを重畳（スーパーインポーズ）させて、ディスプレイ２２４に表示させる。図１０（ｂ）に示す例では、表示制御部２６６は、アイコン３４２に、かかるアイコン３４２が示す番組の放送終了時刻までの受信状態の遷移を表す文字列「途中から見られなくなるでしょう」を関連付けて、ディスプレイ２２４に表示させているが、これに限定されず、アイコン３４２のみをディスプレイ２２４に表示させてもよい。
【００９９】
図１０に示す例において、表示制御部２６６は、番組予報画像として生成した時間軸グラフ３４０またはアイコン３４２をディスプレイ２２４に表示させるが、時間軸グラフ３４０およびアイコン３４２を両方ともディスプレイ２２４に表示させてもよい。
【０１００】
以上説明したように、本実施形態にかかる番組受信装置２００によれば、移動経路中の任意の地理的ポイントにおける具体的な番組の受信状態ではなく、車両速度に基づいて、番組の放送終了時刻までに移動する移動区間における番組の受信状態の時間遷移を搭乗者に提示することができる。したがって、受信する番組の時間経過に対応した受信状態の遷移を搭乗者に提示することが可能となる。
【０１０１】
また、表示制御部２６６が、番組の移動区間中の受信状態の時間遷移を示す番組予報画像をディスプレイ２２４に表示させる構成により、搭乗者は、ディスプレイ２２４を視認するだけで、受信する番組のどのあたりで受信良好になり、どのあたりで受信困難になるか等を、視覚を通じて容易かつ迅速に把握することができる。
【０１０２】
（番組受信方法）
また、上述した番組受信装置２００を用いた番組受信方法も提供される。図１１は、第１の実施形態にかかる番組受信方法の具体的な処理を示したフローチャートである。
【０１０３】
搭乗者による操作部２２２を通じた目的地の設定のための操作入力に応じて、目的地設定部２５２が、目的地を設定すると（Ｓ４００）、位置取得部２１６は、目的地が設定された時点の、番組受信装置２００の位置を示す位置情報を取得する（Ｓ４０２）。経路導出部２５４は、位置取得ステップＳ４０２において取得された位置情報に基づいて、目的地設定ステップＳ４００において設定された目的地までの移動経路を導出し、移動経路を搭乗者に報知する（Ｓ４０４）。
【０１０４】
経路取得部２５６がその移動経路を取得した後（Ｓ４０６）、操作部２２２を通じて搭乗者による１の番組の視聴開始入力を受け付けると（Ｓ４０８のＹＥＳ）、番組選択部２５８は、番組受信部２１４に、複数の番組毎の番組情報と、かかる番組の視聴開始入力に応じた番組の映像ストリームと、音声ストリームとを、受信させる（Ｓ４１０）。
【０１０５】
そして、移動区間導出部２６０は、車両速度を取得し（Ｓ４１２）、視聴開始ステップＳ４０８において、視聴開始時刻と、その時刻における位置情報と、番組受信部２１４が受信する番組の放送終了時刻と、速度取得ステップＳ４１２において取得した車両速度とに基づいて、移動経路における番組の放送終了時刻までに移動する移動区間を導出する（Ｓ４１４）。
【０１０６】
受信状態抽出部２６２は、装置メモリ２１２が保持する受信状態データベース３００から、移動区間導出ステップＳ４１４において導出された移動区間における分割区間毎の番組の受信状態を抽出し（Ｓ４１６）、番組予報画像生成部２６４は、番組の移動区間中の受信状態の時間遷移を示す番組予報画像（時間軸グラフ３４０またはアイコン３４２のいずれかまたは両方）を生成し、表示制御部２６６は、その番組予報画像を、番組受信部２１４が受信している番組の映像ストリームとともにディスプレイ２２４に表示させる（Ｓ４１８）。
【０１０７】
図１２は、番組予報表示ステップＳ４１８において、表示制御部２６６が番組予報画像としてアイコンを表示させる場合の具体的な処理を示したフローチャートである。
【０１０８】
図１２に示すように、表示制御部２６６は、受信状態抽出部２６２が抽出した、移動区間中に番組の受信状態に変化があるか否かを判定し（Ｓ４２０）、移動区間中に番組の受信状態に変化がない場合（Ｓ４２０のＮＯ）、表示制御部２６６は、受信状態抽出部２６２が抽出した１つの受信状態に関連付けられたアイコン素片３３４を番組予報テーブル３３０から抽出して、アイコン３４２を生成し、ディスプレイ２２４に表示させる（Ｓ４２２）。
【０１０９】
移動区間中に番組の受信状態に変化がある場合（Ｓ４２０のＹＥＳ）、表示制御部２６６は、移動区間中に番組の受信状態が２回以上変化するか否かを判定し（Ｓ４２４）、２回以上変化しない場合、すなわち、１回だけ変化する場合（Ｓ４２４のＮＯ）、表示制御部２６６は、受信状態抽出部２６２が抽出した２つの受信状態に関連付けられたアイコン素片３３４をそれぞれ抽出して、時系列に組み合わせてアイコン３４２を生成して、ディスプレイ２２４に表示させる（Ｓ４２６）。
【０１１０】
移動区間中に番組の受信状態が２回以上変化する場合（Ｓ４２４のＹＥＳ）、表示制御部２６６は、受信状態抽出部２６２が抽出した３つ以上の受信状態のうち、直近の受信状態と、受信状態の継続時間が長い順に２つの受信状態との３つの受信状態に関連付けられたアイコン素片３３４をそれぞれ抽出して、時系列に組み合わせてアイコン３４２を生成して、ディスプレイ２２４に表示させる（Ｓ４２８）。
【０１１１】
以上説明したように、本実施形態にかかる番組受信方法によれば、受信する番組をどの程度安定して視聴し続けることができるかの時間的な遷移を搭乗者に容易かつ迅速に把握させることが可能となる。
【０１１２】
本実施形態において、移動区間導出ステップＳ４１４から番組予報表示ステップＳ４１８は、搭乗者による番組の視聴開始入力を受け付けた場合（Ｓ４０８のＹＥＳ）に、遂行されるが、これに限定されず、搭乗者による番組の予約設定に応じて、番組受信部２１４が、予約された所定の番組の受信開始をトリガにして移動区間導出ステップＳ４１４を開始させてもよい。
【０１１３】
また、中央制御部２１０の制御に基づいて、所定時間毎に移動区間導出ステップＳ４１４を開始させてもよい。この際、一般的な番組の放送開始時刻となる毎時０分または毎時３０分となるタイミング（所定時間３０分）で移動区間導出ステップＳ４１４を開始させるとよい。
【０１１４】
搭乗者による番組の視聴開始入力を受け付けずとも移動区間導出ステップＳ４１４を開始させる構成により、搭乗者が、番組受信装置２００を用いて、ＤＶＤ等の記録媒体に記録された番組（コンテンツ）を視聴している場合や、ラジオを聞いている場合であっても、番組予報画像を視認することができる。
【０１１５】
さらに、速度取得ステップＳ４１２において取得した車両速度が、前回番組予報画像を表示させるために取得した車両速度と所定値以上差が生じた場合、移動区間導出ステップＳ４１４を再度実行してもよい。かかる構成により、番組予報表示ステップＳ４１８において番組予報画像を表示させた後に、渋滞や事故等で車両１０４の移動速度が急激に遅くなった場合や、移動速度が速くなった場合においても、現状に合った番組予報画像を表示させることができる。
【０１１６】
（第２の実施形態：番組受信装置５００）
上述した第１の実施形態にかかる番組受信装置２００の受信状態抽出部２６２は、受信状態データベース３００から、番組受信部２１４が受信している番組の移動区間中の受信状態を抽出しているが、これに限定されず、受信状態データベース３００から、移動経路における複数の番組の受信状態を抽出することもできる。以下に、複数の番組の受信状態を抽出して、抽出された複数の番組毎の受信状態をディスプレイ２２４に表示させる番組受信装置５００について説明する。
【０１１７】
図１３は、第２の実施形態にかかる番組受信装置５００の概略的な構成を示した機能ブロック図である。図１３に示すように、番組受信装置５００は、中央制御部５１０と、装置メモリ５１２と、番組受信部２１４と、位置取得部２１６と、無線通信部２１８と、速度導出部２２０と、操作部２２２と、ディスプレイ２２４と、音声出力部２２６とを含んで構成される。なお、上述した第１の実施形態の番組受信装置２００と実質的に等しい構成要素については、同一の符号を付して説明を省略し、ここでは、第１の実施形態と構成の異なる中央制御部５１０および装置メモリ５１２について詳述する。
【０１１８】
中央制御部５１０は、中央処理装置（ＣＰＵ）や信号処理装置（ＤＳＰ）を含む半導体集積回路で構成され、所定のプログラムを用いて番組受信装置５００全体を管理および制御する。
【０１１９】
装置メモリ５１２は、ＲＡＭ、フラッシュメモリ、ＨＤＤ等で構成される。本実施形態において、装置メモリ５１２は、移動可能な路線と道路種別（例えば、一般道路、有料道路、高速道路等）と道路種別ごとの予測される平均速度が関連付けられており移動経路を導出するための地図情報と、移動可能な路線と複数の番組の受信状態とを関連付けた受信状態データベース３００と、番組予報テーブル３３０と、ガイドメッセージテーブルと、番組ジャンルテーブルとを予め保持する。受信状態データベース３００および番組予報テーブル３３０は、上述した第１の実施形態の受信状態データベース３００および番組予報テーブル３３０と実質的に等しいため、同一の符号を付して説明を省略し、番組ジャンルテーブルおよびガイドメッセージテーブルについては、後に詳述する。なお、ここでも、複数の番組の受信状態は、複数の放送局から放送された、各番組が搬送される複数の放送波それぞれの受信状態を示す。
【０１２０】
また、本実施形態において、中央制御部５１０は、音声制御部２５０、目的地設定部２５２と、経路導出部２５４、経路取得部２５６、番組選択部２５８、移動区間導出部５２０、受信状態抽出部５２２、番組予報画像生成部２６４、表示制御部５２４、としても機能する。ここでも、上述した第１の実施形態の番組受信装置２００と実質的に等しい構成要素については、同一の符号を付して説明を省略し、第１の実施形態と構成の異なる移動区間導出部５２０、受信状態抽出部５２２および表示制御部５２４について詳述する。
【０１２１】
移動区間導出部５２０は、視聴開始時刻と、その時刻における位置情報と、複数の番組毎の放送終了時刻と、車両速度とに基づいて、移動経路における番組の放送終了時刻までに移動する移動区間を、複数の番組毎にそれぞれ導出する。ここで、放送終了時刻は、番組受信部２１４が取得した、複数の番組毎の番組情報の番組開始時刻に、番組時間長を加えることで導出される。
【０１２２】
受信状態抽出部５２２は、装置メモリ５１２が保持する受信状態データベース３００から、番組受信部２１４が受信している番組の受信状態のみならず、移動経路における他の複数の番組の受信状態も抽出する。
【０１２３】
表示制御部５２４は、番組予報画像生成部２６４が生成した番組予報画像とともに、番組毎の放送終了時刻と目的地の到着予定時刻とに基づいて、番組の優先順位をディスプレイ２２４に表示させる。ここでは、優先順位に従って番組の番組情報を並べて表示させることで、番組の優先順位を表示させる。
【０１２４】
例えば、表示制御部５２４は、番組の放送終了時刻が目的地の到着予定時刻より前であって、番組の放送終了時刻が現在時刻から近い順に従って、かかる番組の番組情報と、それぞれの番組の受信状態の時間遷移を示す番組予報画像とを並置して、ディスプレイ２２４に表示させる。
【０１２５】
かかる構成により、搭乗者はディスプレイ２２４を視認するだけで、目的地に到着するまでに、視聴が終了する番組とその番組の受信状態を把握することができる。
【０１２６】
なお、表示制御部５２４が、番組予報画像生成部２６４が生成した番組予報画像とともに、番組毎の放送終了時刻と目的地の到着予定時刻とに基づいて、番組の優先順位をディスプレイ２２４に表示させる場合、移動区間導出部２６０は、長時間編成番組（例えば、１時間を超える長さの番組）を、予め排除し（優先順位は考慮せず）、移動区間を導出しなくともよい。
【０１２７】
また、本実施形態において、表示制御部５２４は、受信状態抽出部５２２が抽出し、番組予報画像生成部２６４が生成した番組予報画像とともに、複数の番組毎の受信状態と受信状態が継続する時間とに基づく受信良好度が高い順に従って、番組の優先順位をディスプレイ２２４に表示させる。例えば、受信良好度は、番組毎の受信状態が連続安定受信Ｕである時間が長い順に高くしたり、直近の受信状態が連続安定受信Ｕであり、その継続時間が長い順に高くしたり、放送終了時刻までの受信状態の平均値が高い順に受信良好度を高くしたりする。
【０１２８】
図１４は、第２の実施形態にかかる表示制御部５２４の処理を説明するための説明図である。図１４（ａ）に示すように、例えば、表示制御部５２４は、受信良好度が高い順に従って、番組の優先順位５５０ａと、かかる番組の番組情報５５０ｂと、それぞれの番組の受信状態の時間遷移を示すアイコン３４２とを並置して、ディスプレイ２２４に表示させる。ここで表示制御部５２４は、番組予報画像としてアイコン３４２をディスプレイ２２４に表示させているが、これに限定されず、時間軸グラフ３４０を表示させてもよい。
【０１２９】
図１４（ｂ）に、表示制御部５２４が番組予報画像として、アイコン３４２と時間軸グラフ３４０を並置してディスプレイ２２４に表示させた例を示す。図１４（ｂ）に示すように、表示制御部５２４は、受信良好度が高い順に従って、番組の優先順位５５０ａと、かかる番組の番組情報５５０ｂと、それぞれの番組の受信状態の時間遷移を示すアイコン３４２と時間軸グラフ３４０とを並置して、ディスプレイ２２４に表示させる。
【０１３０】
表示制御部５２４が、受信良好度が高い順に従って、番組の優先順位をディスプレイ２２４に表示させる構成により、搭乗者はディスプレイ２２４を視認するだけで、安定した受信感度で継続的に視聴可能な番組を把握することができる。
【０１３１】
表示制御部５２４は、予め定められたジャンルの順に従って、番組の優先順位をディスプレイ２２４に表示させてもよい。
【０１３２】
本実施形態において表示制御部５２４は、番組予報画像生成部２６４が生成した番組予報画像とともに、装置メモリ５１２が保持する番組ジャンルテーブルを参照して、番組の優先順位をディスプレイ２２４に表示させる。
【０１３３】
図１５は、第２の実施形態にかかる番組ジャンルテーブル５７０の一例を説明するための説明図である。図１５に示すように、本実施形態にかかる番組ジャンルテーブル５７０には、ジャンル優先順位（Ｇｐ）５７０ａと、ジャンル分類（Ｇｂ）５７０ｂと、ジャンル名称（Ｇｎ）５７０ｃと、メッセージ種別（Ｍｉ）５７０ｄが関連付けられている。ここでジャンル優先順位５７０ａは、受信状態が悪化して途中で視聴が困難になっても搭乗者が番組の内容を理解するのに妨げにならない順を示している。ジャンル優先順位５７０ａは、搭乗者による操作部２２２への操作入力に応じて、搭乗者の所望する順に変更することもできる。ジャンル分類５７０ｂは、ジャンル名称５７０ｃを示す識別子である。メッセージ種別５７０ｄは、ガイドメッセージテーブルを参照するための識別子である。
【０１３４】
図１６は、第２の実施形態にかかるガイドメッセージテーブル５７２の一例を説明するための説明図である。図１６に示すように、本実施形態にかかるガイドメッセージテーブル５７２は、メッセージ種別（Ｍｉ）５７０ｄに、連続安定受信Ｕ時のガイドメッセージ５７４ａと、断続的受信Ｍ時のガイドメッセージ５７４ｂとを関連付けている。
【０１３５】
図１７は、表示制御部５２４が番組ジャンルテーブル５７０を参照して遂行する処理を説明するための説明図である。図１７に示すように、本実施形態において、表示制御部５２４は、番組ジャンルテーブル５７０を参照して、例えば、番組受信部２１４が受信する番組のジャンルを抽出し、そのジャンル優先順位５７０ａが高い順に、番組の優先順位５８０ａと、かかる番組の番組情報５８０ｂと、それぞれの番組の受信状態の時間遷移を示すアイコン３４２と、を並置して、ディスプレイ２２４に表示させる。
【０１３６】
また、表示制御部５２４は、ガイドメッセージテーブル５７２を参照して、ジャンル分類５７０ｂに関連付けられたメッセージ種別５７０ｄに基づいて、ガイドメッセージ５７４を抽出し、アイコン３４２に関連付けてディスプレイ２２４に表示させる。ここで表示制御部５２４は、番組予報画像としてアイコン３４２をディスプレイ２２４に表示させているが、これに限定されず、時間軸グラフ３４０を表示させてもよい。
【０１３７】
上述したように、例えば、番組が複数のトピックで構成されるニュース番組やバラエティ番組等は、トピック毎に内容が完結しているため、途中で視聴が困難となっても、搭乗者が不満に感じることは少ない。しかし、事象が積み重なって番組が展開していくドラマ番組や映画番組等は、途中で視聴が困難になると、搭乗者は途中からの番組内容を理解できず、不満を感じることになる。そこで、表示制御部５２４が、受信状態とともに、予め定められたジャンルの順に従って、番組の優先順位をディスプレイ２２４に表示させ、独立した短時間のトピックが複数で構成される番組の優先順位を高くする構成により、受信状態が悪化する可能性がある状況における番組選択を容易にすることができる。
【０１３８】
（番組受信方法）
また、上述した番組受信装置５００を用いた番組受信方法も提供される。図１８は、第２の実施形態にかかる番組受信方法の具体的な処理を示したフローチャートである。なお、上述した第１の実施形態にかかる番組受信方法と実質的に等しい処理については、同一の符号を付す。
【０１３９】
搭乗者による操作部２２２を通じた目的地の設定のための操作入力に応じて、目的地設定部２５２が、目的地を設定すると（Ｓ４００）、位置取得部２１６は、目的地が設定された時点の、番組受信装置５００の位置を示す位置情報を取得する（Ｓ４０２）。経路導出部２５４は、位置取得ステップＳ４０２において取得された位置情報に基づいて、目的地設定ステップＳ４００において設定された目的地までの移動経路を導出し、移動経路を搭乗者に報知する（Ｓ４０４）。
【０１４０】
経路取得部２５６がその移動経路を取得した後（Ｓ４０６）、操作部２２２が、搭乗者による１の番組の視聴開始入力を受け付けると（Ｓ４０８のＹＥＳ）、番組選択部２５８は、番組受信部２１４に、複数の番組毎の番組情報と、かかる番組の視聴開始入力に応じた番組の映像ストリームと、音声ストリームとを受信させ（Ｓ４１０）、移動区間導出部５２０は、車両速度を取得する（Ｓ４１２）。
【０１４１】
そして、移動区間導出部５２０は、視聴開始ステップＳ４０８において視聴開始時刻と、その時刻における位置情報と、番組受信部２１４が受信する複数の番組毎の放送終了時刻と、速度取得ステップＳ４１２において取得した車両速度とに基づいて、移動経路における番組の放送終了時刻までに移動する移動区間を、複数の番組毎にそれぞれ導出する（Ｓ６００）。
【０１４２】
受信状態抽出部５２２は、装置メモリ５１２が保持する受信状態データベース３００から、移動区間導出ステップＳ６００において導出された移動区間における分割区間毎のそれぞれの番組毎の受信状態を抽出し（Ｓ６０２）、番組予報画像生成部２６４は、番組の移動区間中の受信状態の時間遷移を示す番組予報画像（時間軸グラフ３４０またはアイコン３４２のいずれかまたは両方）を、番組毎に生成し（Ｓ６０４）、番組毎に番組情報と番組予報画像とをそれぞれ関連付ける（Ｓ６０６）。
【０１４３】
そして、番組情報受信ステップＳ４１０において取得した複数の番組の番組情報の中で、まだ番組予報画像を生成していない番組の番組情報があるか否かを判定し（Ｓ６０８）、番組予報画像を生成していない番組の番組情報があれば（Ｓ６０８のＮＯ）、移動区間導出ステップＳ６００に戻る。
【０１４４】
番組情報受信ステップＳ４１０において取得した複数の番組の番組情報の中で、まだ番組予報画像を生成していない番組の番組情報がない、すなわち番組情報受信ステップＳ４１０において取得したすべての番組の番組情報に基づいた番組予報画像の生成が終了した場合（Ｓ６０８のＹＥＳ）、表示制御部５２４は、受信良好度が高い順、または、予め定められたジャンルの順、に従って、番組の優先順位（優先順位リスト）を決定する（Ｓ６１０）。優先順位リストについては、後述する。そして、表示制御部５２４は、優先順位決定ステップＳ６１０において生成された優先順位リストに従って、番組の優先順位と、かかる番組の番組予報画像とをディスプレイ２２４に表示させる（Ｓ６１２）。
【０１４５】
図１９は、優先順位決定ステップＳ６１０の処理の一例を説明するためのフローチャートである。ここでは、表示制御部５２４が、受信良好度に基づいて、番組の優先順位を決定する処理について説明する。
【０１４６】
まず、表示制御部５２４は、優先順位リストをクリアにし（Ｓ６２０）、関連付けステップＳ６０６において番組予報画像が関連付けられた、すべての番組の番組情報を取得する（Ｓ６２２）。そして、番組予報画像が関連付けられた、すべての番組の番組情報のうち任意の１の番組の番組情報を抽出し（Ｓ６２４）、かかる番組情報に関連付けられた番組予報画像（ここでは、アイコン３４２とする）が、連続安定受信Ｕのアイコン素片３３４ａのみで生成されたアイコン３４２ａであるか否かを判定する（Ｓ６２６）。連続安定受信Ｕのアイコン素片３３４ａのみで生成されたアイコン３４２ａであれば（Ｓ６２６のＹＥＳ）、優先順位リストの最後尾に追加し、（Ｓ６２８）。アイコン３４２ａでなければ（Ｓ６２６のＮＯ）、優先順位リストへの追加は行わない。
【０１４７】
続いて、番組情報取得ステップＳ６２２において取得したすべての番組の番組情報について、連続安定受信Ｕのアイコン素片３３４ａのみで生成されたアイコン３４２ａであるか否かの判定を終了したか否かを判定し（Ｓ６３０）、判定が終了していなければ（Ｓ６３０のＮＯ）、番組情報抽出ステップＳ６２４に戻り、判定が終了していれば（Ｓ６３０のＹＥＳ）、新たに、番組情報取得ステップＳ６２２において取得したすべての番組の番組情報の中から任意の１の番組の番組情報を抽出する（Ｓ６３２）。
【０１４８】
番組情報抽出ステップＳ６３２で抽出した番組情報に関連付けられた番組予報画像が、連続安定受信Ｕのアイコン素片３３４ｂを含む、２つのアイコン素片３３４で生成されたアイコン３４２であるか否かを判定する（Ｓ６３４）。連続安定受信Ｕのアイコン素片３３４ｂを含む、２つのアイコン素片３３４で生成されたアイコン３４２であれば（Ｓ６３４のＹＥＳ）、優先順位リストの最後尾に追加し（Ｓ６３６）、連続安定受信Ｕのアイコン素片３３４ｂを含む、２つのアイコン素片３３４で生成されたアイコン３４２でなければ（Ｓ６３４のＮＯ）、優先順位リストへの追加は行わない。
【０１４９】
番組情報取得ステップＳ６２２において取得したすべての番組の番組情報について、連続安定受信Ｕのアイコン素片３３４ｂを含む、２つのアイコン素片３３４で生成されたアイコン３４２であるか否かの判定を終了したか否かを判定し（Ｓ６３８）。判定が終了していなければ（Ｓ６３８のＮＯ）、番組情報抽出ステップＳ６３２に戻り、判定が終了していれば（Ｓ６３８のＹＥＳ）、新たに、番組情報取得ステップＳ６２２において取得したすべての番組の番組情報の中から任意の１の番組の番組情報を抽出する（Ｓ６４０）。
【０１５０】
そして、番組情報抽出ステップＳ６４０で抽出した番組情報に関連付けられた番組予報画像が、連続安定受信Ｕのアイコン素片３３４ｂを含む、３つのアイコン素片３３４で生成されたアイコン３４２であるか否かを判定する（Ｓ６４２）。連続安定受信Ｕのアイコン素片３３４ｂを含む、３つのアイコン素片３３４で生成されたアイコン３４２であれば（Ｓ６４２のＹＥＳ）、優先順位リストの最後尾に追加し（Ｓ６４４）、連続安定受信Ｕのアイコン素片３３４ｂを含む、３つのアイコン素片３３４で生成されたアイコン３４２でなければ（Ｓ６４２のＮＯ）、優先順位リストへの追加は行わない。
【０１５１】
番組情報取得ステップＳ６２２において取得したすべての番組の番組情報について、連続安定受信Ｕのアイコン素片３３４ｂを含む、３つのアイコン素片３３４で生成されたアイコン３４２であるか否かの判定を終了したか否かを判定し（Ｓ６４８）。判定が終了していなければ（Ｓ６４８のＮＯ）、番組情報抽出ステップＳ６４０に戻り、判定が終了していれば（Ｓ６４８のＹＥＳ）、優先順位リストの生成を終了する。
【０１５２】
図２０は、優先順位決定ステップＳ６１０の処理の他の一例を説明するためのフローチャートである。ここでは、表示制御部５２４が、装置メモリ５１２が保持する番組ジャンルテーブル５７０を参照して、番組の優先順位を決定する処理について説明する。
【０１５３】
まず、表示制御部５２４は、優先順位リストをクリアにし（Ｓ６５０）、ジャンル優先順位（Ｇｐ）５７０ａの値を１に初期化し（Ｓ６５２）、関連付けステップＳ６０６において、番組予報画像が関連付けられた、すべての番組の番組情報を取得する（Ｓ６５４）。そして、表示制御部５２４は、装置メモリ５１２が保持する番組ジャンルテーブル５７０を参照して、設定された値のジャンル優先順位（Ｇｐ）５７０ａに関連付けられたジャンル分類（Ｇｂ）５７０ｃである番組の番組情報を抽出する（Ｓ６５６）。
【０１５４】
番組情報抽出ステップＳ６５６で抽出された番組の番組情報に関連付けられた番組予報画像（ここでは、アイコン３４２とする）が、連続安定受信Ｕのアイコン素片３３４ａ、３３４ｂまたは断続的受信Ｍのアイコン素片３３４ｃを含むアイコン３４２であるか否かを判定する（Ｓ６５８）。
【０１５５】
アイコン素片３３４ａ、３３４ｂ、３３４ｃを含むアイコン３４２であれば（Ｓ６５８のＹＥＳ）、優先順位リストの最後尾に追加し（Ｓ６６０）、連続安定受信Ｕまたは断続的受信Ｍのアイコン素片３３４を含むアイコンでなければ（Ｓ６５８のＮＯ）、優先順位リストに追加しない。
【０１５６】
続いて、番組情報取得ステップＳ６５４において取得したすべての番組の番組情報について、ジャンル優先順位（Ｇｐ）５７０ａに関連付けられたジャンル分類（Ｇｂ）５７０ｂの検索を終了したか否かを判定する（Ｓ６６２）。検索が終了していれば（Ｓ６６２のＹＥＳ）、表示制御部５２４は、ジャンル優先順位（Ｇｐ）５７０ａをインクリメントし（Ｓ６６４）、すべてのジャンル優先順位（Ｇｐ）５７０ａに関連付けられたジャンル分類（Ｇｂ）５７０ｂである番組の番組情報を抽出したか否かを判定し（Ｓ６６６）、抽出していれば（Ｓ６６６のＹＥＳ）、優先順位リストの生成を終了する。また、抽出していないジャンル優先順位（Ｇｐ）５７０ａに関連付けられたジャンル分類（Ｇｂ）５７０ｂがあれば（Ｓ６６６のＮＯ）、番組情報抽出ステップＳ６５６に戻る。
【０１５７】
（第３の実施形態：番組受信装置７００）
上述した第１および第２の実施形態では、搭乗者（ユーザ）が車両１０４で移動する際に利用する番組受信装置２００、５００について説明した。本実施形態では、ユーザが鉄道、バス、航空機、船舶の群から選択される１または複数を含む公共交通機関（以下、単に公共交通機関と称する）で移動する際に、受信する番組をどの程度安定して視聴し続けることができるかをユーザに把握させることが可能な番組受信装置７００を説明する。
【０１５８】
図２１は、第３の実施形態にかかる番組受信装置７００の概略的な構成を示した機能ブロック図である。本実施形態において、番組受信装置７００は、ユーザが公共交通機関を利用する際に携帯可能な、携帯電話を例に挙げて説明するが、ＰＨＳ、ノート型パーソナルコンピュータ、ＰＤＡ、デジタルカメラ、音楽プレイヤー、ポータブルテレビ、ゲーム機器、ＤＶＤプレイヤー、リモートコントローラ等、ディスプレイを有し無線通信可能な様々な電子機器を番組受信装置として用いることができる。
【０１５９】
図２１に示すように、番組受信装置７００は、中央制御部７１０と、装置メモリ７１２と、番組受信部２１４と、無線通信部７１６と、操作部２２２と、ディスプレイ２２４と、音声出力部７１８、音声入力部７２０とを含んで構成される。なお、上述した第１の実施形態の番組受信装置２００と実質的に等しい構成要素については、同一の符号を付して説明を省略し、ここでは、第１の実施形態と構成の異なる中央制御部７１０、装置メモリ７１２、無線通信部７１６、音声出力部７１８、および音声入力部７２０について詳述する。
【０１６０】
中央制御部７１０は、中央処理装置（ＣＰＵ）や信号処理装置（ＤＳＰ）を含む半導体集積回路で構成され、所定のプログラムを用いて番組受信装置７００全体を管理および制御する。また、中央制御部７１０は、所定のプログラムを用いて、携帯電話特有の機能である、通話機能、メール送受信機能、撮像機能、音楽再生機能、番組受信機能も遂行する。
【０１６１】
装置メモリ７１２は、ＲＡＭ、フラッシュメモリ、ＨＤＤ等で構成される。本実施形態において、装置メモリ７１２は、感度区分テーブル３２０と、番組予報テーブル３３０、を予め保持する。感度区分テーブル３２０および番組予報テーブル３３０は、上述した第１の実施形態の感度区分テーブル３２０および番組予報テーブル３３０と実質的に等しいため、同一の符号を付して説明を省略する。
【０１６２】
無線通信部７１６は、通信網１１４における基地局１１０との無線通信を行う。かかる無線通信としては、例えば、番組受信装置７００ごとに異なる符号を乗算するＣＤＭＡ（Code Division Multiple Access：符号分割多重接続）等を採用することができる。
【０１６３】
また本実施形態において、無線通信部７１６は、通信網１１４における外部サーバ１１６と通信を行う。
【０１６４】
音声出力部７１８は、スピーカで構成され、音声制御部２５０の制御に応じて、番組受信部２１４が受信した番組の音声ストリームを出力する。また、本実施形態において音声出力部７１８は、音声制御部２５０の制御に応じて、番組受信装置７００で受信した通話相手の音声信号を音声に変えて出力する。また、着信音や、操作部２２２の操作音、アラーム音等も出力できる。
【０１６５】
音声入力部７２０は、マイク等で構成され、通話時に入力されたユーザの音声を番組受信装置７００内で処理可能な電気信号に変換する。
【０１６６】
また、本実施形態において、中央制御部７１０は、音声制御部２５０、目的地設定部７３０と、番組選択部２５８、経路導出部７３２、経路取得部７３４、位置取得部７３６、移動区間導出部７３８、受信状態抽出部７４０、番組予報画像生成部２６４、表示制御部２６６、としても機能する。ここでも、上述した第１の実施形態の番組受信装置２００と実質的に等しい構成要素については、同一の符号を付して説明を省略し、第１の実施形態と構成の異なる、目的地設定部７３０、経路導出部７３２、経路取得部７３４、位置取得部７３６、移動区間導出部７３８、受信状態抽出部７４０について詳述する。
【０１６７】
目的地設定部７３０は、ユーザによる操作部２２２を通じた操作入力に応じて、出発地および目的地を設定する。本実施形態において、目的地設定部７３０は、出発地および目的地として駅を設定する。
【０１６８】
経路導出部７３２は、無線通信部７１６を通じて、外部サーバ１１６が保持する走行経路情報および運行予定情報を参照し、移動経路を導出する。ここで、走行経路情報は、公共交通機関（ここでは、電車）が移動可能なすべての路線を示す情報である。
【０１６９】
図２２は、第３の実施形態にかかる運行予定情報７６０の一例を説明するための説明図である。図２２に示すように、運行予定情報７６０は、公共機関名７６０ａと、停車順序７６０ｂ、停車場所名７６０ｃ、起点からの距離７６０ｄ、到着時刻７６０ｅ、出発時刻７６０ｆとを関連付けている。
【０１７０】
経路導出部７３２は、目的地設定部７３０が設定した出発地と目的地とを結ぶ移動経路を、出発地および目的地と、かかる出発地および目的地を設定した時刻と、走行経路情報と、運行予定情報７６０とに基づいて計算する。本実施形態において、経路導出部７３２は、目的地までの到着時間が最短となる移動経路、目的地まで乗り換え回数が最少となる移動経路、または目的地までの運賃が最安値となる移動経路を導出する。そして、表示制御部２６６は、経路導出部７３２が導出した移動経路をディスプレイ２２４に表示させる。
【０１７１】
経路取得部７３４は、ディスプレイ２２４に表示された移動経路のうち、ユーザによる操作部２２２を通じた操作入力に応じて、１の移動経路を取得する。
【０１７２】
位置取得部７３６は、取得した移動経路と、運行予定情報７６０とを用いて、視聴開始時刻における番組受信装置７００の位置を示す位置情報を取得する。
【０１７３】
例えば、位置取得部７３６は、視聴開始時刻と、運行予定情報７６０における、移動経路中の停車場所（駅）の到着時刻７６０ｅまたは出発時刻７６０ｆとを比較し、視聴開始時刻に最も近い到着時刻７６０ｅまたは出発時刻７６０ｆに関連付けられた停車場所名７６０ｃが示す駅の位置を番組受信装置７００の位置とみなして位置情報を取得する。
【０１７４】
また、位置取得部７３６は、視聴開始時刻における番組受信装置７００の位置が、運行予定情報７６０における停車場所（駅）間であると推定される場合、停車場所間の距離と、視聴開始時刻以前に停車した停車場所（以下、前駅と称する）における出発時刻７６０ｆと、視聴開始時刻以降に停車する停車場所（以下、後駅と称する）における到着時刻７６０ｅとに基づいて、視聴開始時刻における番組受信装置７００の位置が前駅からどのくらい離れた位置であるかを推定して位置情報を取得してもよい。
【０１７５】
例えば、視聴開始時刻における番組受信装置７００の位置が、前駅（例えば、Ａ駅）と後駅（例えば、Ｂ駅）との間であると推定される場合、位置取得部７３６は、Ｂ駅の起点からの距離７６０ｄとＡ駅の起点からの距離７６０ｄとの差分を採り、Ａ駅とＢ駅との距離Ｃを導出する。また、位置取得部７３６は、Ｂ駅の到着時刻７６０ｅとＡ駅の出発時刻７６０ｆとの差分Ｄと、視聴開始時刻とＡ駅の出発時刻７６０ｆとの差分Ｅをそれぞれ導出する。そして、位置取得部７３６は、差分Ｅを差分Ｄで除した値を距離Ｃに乗じた距離Ｅを導出し、Ａ駅から距離Ｅ分進めた移動経路上の位置を、視聴開始時刻における番組受信装置７００の位置であると推定して位置情報を取得する。
【０１７６】
移動区間導出部７３８は、視聴開始時刻と、位置取得部７３６が取得した位置情報と、番組選択部２５８が選択して番組受信部２１４が受信している番組の放送終了時刻と、運行予定情報７６０とに基づいて、番組の放送終了時刻までの移動経路の移動区間を導出する。ここで、放送終了時刻は、番組受信部２１４が取得した番組情報の番組開始時刻に、番組時間長を加えることで導出される。
【０１７７】
受信状態抽出部７４０は、無線通信部２１８を通じて、別体の装置（外部サーバ１１６）が保持する受信状態データベース３００を参照する。本実施形態において、受信状態抽出部７４０は、装置メモリ７１２が保持する感度区分テーブル３２０を参照し、自体が備えるアンテナ２０２の形態に関連付けられた感度区分を取得する。そして、受信状態抽出部７４０は、外部サーバ１１６が備える、取得した感度区分に対応した受信状態データベース３００を参照する。
【０１７８】
上記公共交通機関の場合、走行経路と運行予定は予め決定されている。したがって、予め決定された走行経路における運行予定を利用することで、その移動速度を考慮しなくとも、番組の放送終了までの移動経路の移動区間を容易に導出することができる。
【０１７９】
上述した番組受信装置７００によっても、受信する番組をどの程度安定して視聴し続けることができるかの時間的な遷移をユーザに把握させることが可能となる。
【０１８０】
（第４の実施形態：番組受信装置８００）
図２３は、第４の実施形態にかかる番組受信装置８００の概略的な構成を示した機能ブロック図である。本実施形態において、番組受信装置８００は、番組受信装置２００同様、カーナビゲーション装置を例に挙げて説明するが、携帯電話、ＰＨＳ、ノート型パーソナルコンピュータ、ＰＤＡ、デジタルカメラ、音楽プレイヤー、ポータブルテレビ、ゲーム機器、ＤＶＤプレイヤー、リモートコントローラ等、ディスプレイを有し無線通信可能な様々な電子機器を番組受信装置として用いることができる。
【０１８１】
図２３に示すように、番組受信装置８００は、中央制御部８１０と、装置メモリ８１２と、番組受信部２１４と、操作部２２２と、ディスプレイ２２４と、音声出力部２２６とを含んで構成される。なお、上述した第１の実施形態の番組受信装置２００と実質的に等しい構成要素については、同一の符号を付して説明を省略し、ここでは、第１の実施形態と構成の異なる中央制御部８１０、装置メモリ８１２について詳述する。
【０１８２】
中央制御部８１０は、中央処理装置（ＣＰＵ）や信号処理装置（ＤＳＰ）を含む半導体集積回路で構成され、所定のプログラムを用いて番組受信装置８００全体を管理および制御する。
【０１８３】
装置メモリ８１２は、ＲＡＭ、フラッシュメモリ、ＨＤＤ等で構成される。本実施形態において、装置メモリ８１２は、移動経路を導出するための地図情報と、番組ジャンルテーブル５７０とを予め保持する。番組ジャンルテーブル５７０は、上述した第２の実施形態の番組ジャンルテーブル５７０と実質的に等しいため、同一の符号を付して説明を省略する。
【０１８４】
本実施形態において、中央制御部８１０は、音声制御部２５０、目的地設定部２５２と、経路導出部２５４、経路取得部２５６、番組選択部２５８、表示制御部８２０、としても機能する。
【０１８５】
本実施形態において、表示制御部８２０は、予め定められたジャンルの順に従って、放送局の番組の優先順位をディスプレイ２２４に表示させる。
【０１８６】
上述したように、事象が積み重なって番組が展開していくドラマ番組や映画番組等は、途中で視聴ができなくなると、ユーザは途中からの番組の内容を理解できず、不満を感じることになる。本実施形態では、予め定められたジャンルの順に従って、番組の優先順位をディスプレイ２２４に表示させ、独立した短時間のトピックが複数で構成される番組の優先順位を高くすることで、目的地に到着したにもかかわらず、番組が終了しない可能性がある番組をユーザに選択させる可能性を減らすことができる。
【０１８７】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１８８】
なお、本明細書の番組受信方法における各工程は、必ずしもフローチャートとして記載された順序に沿って時系列に処理する必要はなく、並列的あるいはサブルーチンによる処理を含んでもよい。また、本発明において路線とは車が通行する道路、列車が走行する線路、航空機が飛行する航路、船舶が航行する航路等を含むものとする。
【産業上の利用可能性】
【０１８９】
本発明は、移動体内で番組を受信する番組受信装置および番組受信方法に利用することができる。
【符号の説明】
【０１９０】
２００、５００、７００、８００  …番組受信装置
２０２  …アンテナ
２１４  …番組受信部
２１６、７３６  …位置取得部
２５２、７３０  …目的地設定部
２５４、７３２  …経路導出部
２５６、７３４  …経路取得部
２６０、５２０、７３８  …移動区間導出部
２６２、５２２、７４０  …受信状態抽出部
２６４  …番組予報画像生成部
２６６、５２４、８２０  …表示制御部
３００  …受信状態データベース
３４０  …時間軸グラフ
３４２  …アイコン
【図１】
2011024117.tif 000003
【図２】
2011024117.tif 000004
【図３】
2011024117.tif 000005
【図４】
2011024117.tif 000006
【図５】
2011024117.tif 000007
【図６】
2011024117.tif 000008
【図７】
2011024117.tif 000009
【図８】
2011024117.tif 000010
【図９】
2011024117.tif 000011
【図１０】
2011024117.tif 000012
【図１１】
2011024117.tif 000013
【図１２】
2011024117.tif 000014
【図１３】
2011024117.tif 000015
【図１４】
2011024117.tif 000016
【図１５】
2011024117.tif 000017
【図１６】
2011024117.tif 000018
【図１７】
2011024117.tif 000019
【図１８】
2011024117.tif 000020
【図１９】
2011024117.tif 000021
【図２０】
2011024117.tif 000022
【図２１】
2011024117.tif 000023
【図２２】
2011024117.tif 000024
【図２３】
2011024117.tif 000025